(57)【特許請求の範囲】
【請求項１】
グリル庫の前面開口に対する扉及びグリル用受皿を備える状態で前記グリル庫の内部に配置される可動側スライドレールが、前記グリル庫の内部に固定状態で支持された固定側スライドレールによりグリル庫奥行き方向に移動自在に支持されて、前記扉にて前記前面開口を閉じる引退位置と前記扉及び前記グリル用受皿を前記グリル庫の前方側に突出させる突出位置とに位置変更自在に構成されたグリル装置であって、
グリル庫奥行き方向に移動自在でかつスプリングにより奥側に向けて弾性付勢された引き込み用係合部が、前記可動側スライドレールに備えさせたレール側係合部に対して、前記可動側スライドレールが前記突出位置から前記引退位置に向かって移動して、その引退位置よりも設定距離手前の作用位置に移動するに伴って係合し、かつ、前記可動側スライドレールが前記引退位置から前記突出位置に向かって移動して、前記作用位置に移動するに伴って離脱する状態で、且つ、前記レール側係合部と離脱したときには前記スプリングの付勢力に抗して前記作用位置に位置しかつ前記レール側係合部と係合したときには前記スプリングの付勢力にて奥側に向けて移動するように支持された状態で設けられ、
前記グリル庫の外部側に配設した前記引き込み側係合部と前記レール側係合部とが、前記グリル庫の側壁に形成した挿通孔を通して係合するように構成され、
前記スプリングが、前記グリル庫の外部に配設されているグリル装置。
【請求項２】
前記固定側スライドレールが前記グリル庫の側壁に沿う状態で且つその長手方向が前記グリル奥行方向に沿う状態で備えられ、
前記可動側スライドレールが前記固定側スライドレールに対してグリル庫横幅方向内方側に位置して並ぶ状態で備えられ、
前記可動側スライドレールのグリル庫横幅方向内方側及び上方側を覆う板状のレールカバーが前記可動側スライドレールに一体的に取り付けられ、
前記レールカバーに前記レール側係合部が一体形成されている請求項１記載のグリル装置。
【請求項３】
前記固定側スライドレールが、前記グリル庫の側壁との間に間隔をあける状態で間隔保持部材を介して前記グリル庫に固定状態で装着され、
前記可動側スライドレールに取り付けられた前記レールカバーが、前記固定側スライドレールと前記グリル庫の側壁との間に形成された間隔に入り込むように折り曲げ形成され、且つ、その折り曲げ形成された箇所に前記レール側係合部としてのカム溝が一体形成され、
前記引き込み用係合部としての係合ピンが、前記グリル庫の側壁に形成された前記挿通孔を通してグリル庫内方側に突出させる状態で設けられ、
前記スプリングが、前記グリル庫の側壁における前記固定側スライドレールが装着される箇所の外面側に設けられている請求項２記載のグリル装置。
【請求項４】
前記グリル庫の前側面に永久磁石又は強磁性体が備えられ、
前記扉における前記永久磁石又は強磁性体が対向する位置に、その永久磁石又は強磁性体と互いに吸引する状態で永久磁石又は強磁性体が設けられている請求項１〜３のいずれか１項に記載のグリル装置。
【請求項５】
前記スプリングが、前記グリル庫奥行方向における前記前面開口に近い箇所に設けられている請求項１〜４のいずれか１項に記載のグリル装置。
【請求項６】
前記グリル庫の側壁における前記固定側スライドレールの上方側箇所にグリル内方側に凹入する形態でバーナ配設部が形成され、
このバーナ配設部のグリル庫外方側箇所に、前記グリル庫の側壁に形成された開口を通してグリル庫内に向けて火炎を形成する状態で長手方向がグリル奥行方向に沿って延びる調理加熱用のバーナが備えられ、
前記スプリングが、前記バーナの燃焼に伴って前記バーナが取り入れる燃焼用空気が流動する箇所に設けられている請求項１〜５のいずれか１項に記載のグリル装置。
【発明の詳細な説明】
【技術分野】
【０００１】
本発明は、グリル庫の前面開口に対する扉及びグリル用受皿を備える状態で前記グリル庫の内部に配置される可動側スライドレールが、前記グリル庫の内部に固定状態で支持された固定側スライドレールによりグリル庫奥行き方向に移動自在に支持されて、前記扉にて前記前面開口を閉じる引退位置と前記扉及び前記グリル用受皿を前記グリル庫の前方側に突出させる突出位置とに位置変更自在に構成されたグリル装置に関する。
【背景技術】
【０００２】
上記グリル装置は、扉及びグリル用受皿を備える前記可動側スライドレールが前記固定側スライドレールによりグリル庫奥行き方向に移動自在に支持される構成とすることで、前記引退位置と前記突出位置とにわたり軽い操作力で軽快に可動側スライドレールを移動操作させることができるようにしたものであるが、この種のグリル装置では、従来、前記可動側スライドレールを前記引退位置にまでスライドさせたときに、前記固定側スライドレール側に設けられた板ばね式の保持部により可動側スライドレールの引退位置側の先端部を弾性的に保持して位置保持するように構成したものがあった（例えば、特許文献１参照。）。
【０００３】
【特許文献１】特開２００４−２６１２８０号公報
【発明の開示】
【発明が解決しようとする課題】
【０００４】
しかし、上記従来構成では、使用者が被加熱物の加熱調理を行う際に、前記可動側スライドレールを前記突出位置から前記引退位置に向けてスライド操作させる場合に、使用者の操作の仕方によっては可動側スライドレールを前記引退位置に適切に移動操作できない場合がある。
【０００５】
説明を加えると、上述したように可動側スライドレールの移動操作を軽い操作力で軽快に行えることから、前記可動側スライドレールを前記突出位置から前記引退位置に向けてスライド操作させる場合、可動側スライドレールが引退位置に近付いたときに停止してしまうことにより引退位置に確実に操作されないトラブルが発生するおそれがある。
【０００６】
このように可動側スライドレールが確実に引退位置にまで移動していない状態でそれ以上の操作を停止してしまうと、扉とグリルの前面開口との間に不測に隙間が生じて加熱調理を行うときにその隙間から高温の蒸気が吹きだす等の不利がある。
【０００７】
本発明の目的は、可動側スライドレールを引退位置にまで的確に移動操作させ且つその引退位置に保持させることが可能なものでありながら、しかも、そのような引退位置への移動並びに引退位置における位置保持を長期にわたって良好に行うことが可能となるグリル装置を提供する点にある。
【課題を解決するための手段】
【０００８】
本発明に係るグリル装置は、グリル庫の前面開口に対する扉及びグリル用受皿を備える状態で前記グリル庫の内部に配置される可動側スライドレールが、前記グリル庫の内部に固定状態で支持された固定側スライドレールによりグリル庫奥行き方向に移動自在に支持されて、前記扉にて前記前面開口を閉じる引退位置と前記扉及び前記グリル用受皿を前記グリル庫の前方側に突出させる突出位置とに位置変更自在に構成されたものであって、その第１特徴構成は、グリル庫奥行き方向に移動自在でかつスプリングにより奥側に向けて弾性付勢された引き込み用係合部が、前記可動側スライドレールに備えさせたレール側係合部に対して、前記可動側スライドレールが前記突出位置から前記引退位置に向かって移動して、その引退位置よりも設定距離手前の作用位置に移動するに伴って係合し、かつ、前記可動側スライドレールが前記引退位置から前記突出位置に向かって移動して、前記作用位置に移動するに伴って離脱する状態で、且つ、前記レール側係合部と離脱したときには前記スプリングの付勢力に抗して前記作用位置に位置しかつ前記レール側係合部と係合したときには前記スプリングの付勢力にて奥側に向けて移動するように支持された状態で設けられ、前記グリル庫の外部側に配設した前記引き込み側係合部と前記レール側係合部とが、前記グリル庫の側壁に形成した挿通孔を通して係合するように構成され、前記スプリングが、前記グリル庫の外部に配設されている点にある。
【０００９】
第１特徴構成によれば、前記可動側スライドレールが前記突出位置から前記引退位置に向かって移動して、その引退位置よりも設定距離手前の作用位置に移動するに伴って、前記可動側スライドレールに備えさせたレール側係合部に対して引き込み用係合部が係合する。そして、その引き込み用係合部はスプリングの付勢力にて奥側に向けて移動するように支持されているから、引き込み用係合部がレール側係合部に係合することで可動側スライドレールがスプリングの付勢力により引退位置にまで引き込まれる。
又、前記可動側スライドレールが前記引退位置から前記突出位置に向かって移動して、前記作用位置に移動するに伴って前記引き込み用係合部はレール側係合部と離脱するから、前記可動側スライドレールは突出位置まで引き出すことができ、前記引き込み用係合部は前記スプリングの付勢力に抗して前記作用位置に位置することになる。
【００１０】
つまり、前記可動側スライドレールがスプリングの付勢力により引き込み用係合部と一体的に前記作用位置から前記引退位置側に引き込まれることになる。又、前記引退位置に引き込まれた後もスプリングによる付勢力は維持されるので、可動側スライドレールは引退位置に位置保持される状態になる。
【００１１】
ところで、グリル庫には調理用の加熱手段が備えられており、グリル庫内はこの加熱手段による調理用の加熱操作によって例えば２００〜３００℃程度の高温になるものであるが、スプリングは、このように雰囲気温度が３００℃近い高温になる状態と加熱が行われない低温状態（常温）とが繰り返し発生すると、いわゆる焼き戻し状態となって比較的短時間の使用にて特性が劣化してしまい弾性付勢力が減衰して充分な引き込み保持作用を発揮できない状態になってしまうことがある。
【００１２】
そこで、第１特徴構成では、グリル庫の外部側に配設した引き込み側係合部とレール側係合部とがグリル庫の側壁に形成した挿通孔を通して係合するように構成され、前記スプリングがグリル庫の外部に配設される構成であることから、スプリングが設けられる場所はグリル庫の内部に比べて低い温度になっている。その結果、スプリングの雰囲気温度が低くなって比較的短時間の使用にて特性が劣化して早期に付勢力が減衰する等、耐久性が低くなるおそれは少なく、長期間にわたって良好な引き込み保持作用を発揮させることができるのである。
【００１３】
従って、第１特徴構成によれば、操作の煩わしさの少ない状態で、扉やグリル用受皿を備えた可動側スライドレールを引退位置にまで移動させ且つその引退位置に保持させることが可能なものでありながら、しかも、そのようなスライド移動並びに位置保持を長期にわたって良好に行うことが可能となるグリル装置を提供できるに至った。
【００１４】
本発明の第２特徴構成は、第１特徴構成に加えて、前記固定側スライドレールが前記グリル庫の側壁に沿う状態で且つその長手方向が前記グリル奥行方向に沿う状態で備えられ、前記可動側スライドレールが前記固定側スライドレールに対してグリル庫横幅方向内方側に位置して並ぶ状態で備えられ、前記可動側スライドレールのグリル庫横幅方向内方側及び上方側を覆う板状のレールカバーが前記可動側スライドレールに一体的に取り付けられ、前記レールカバーに前記レール側係合部が一体形成されている点にある。
【００１５】
第２特徴構成によれば、前記固定側スライドレールに対してグリル庫横幅方向内方側に位置して並ぶ状態で可動側スライドレールが備えられ、可動側スライドレールのグリル庫横幅方向内方側及び上方側を覆う板状のレールカバーが可動側スライドレールに一体的に取り付けられている。つまり、可動側スライドレールが引退位置に引き込まれると、可動側スライドレールのグリル庫横幅方向内方側及び上方側がレールカバーによって覆われるので、可動側スライドレールに備えられるグリル用受皿の上部に支持される被加熱物からの油や肉汁等が直接に可動側スライドレールに降りかかることを防止して、短期間の使用でスライド移動が阻害されるおそれが少ないものになる。
【００１６】
そして、前記レバーカバーには、可動側スライドレールが前記作用位置に移動するに伴って前記引き込み用係合部に係合するレール側係合部が一体形成されているから、可動側スライドレールに油等が降りかかるのを防止するためのレールカバーの構成を有効利用して、特別な部材を設ける等の構成の複雑化を招くことなく前記レール側係合部を構成できる。
【００１７】
従って、第２特徴構成によれば、特別な部材を設ける等の構成の複雑化を招くことなく、扉やグリル用受皿を備えた可動側スライドレールを引退位置にまでスライドさせてその引退位置に保持させることができるものとなった。
【００１８】
本発明の第３特徴構成は、第２特徴構成に加えて、前記固定側スライドレールが、前記グリル庫の側壁との間に間隔をあける状態で間隔保持部材を介して前記グリル庫に固定状態で装着され、前記可動側スライドレールに取り付けられた前記レールカバーが、前記固定側スライドレールと前記グリル庫の側壁との間に形成された間隔に入り込むように折り曲げ形成され、且つ、その折り曲げ形成された箇所に前記レール側係合部としてのカム溝が一体形成され、前記引き込み用係合部としての係合ピンが、前記グリル庫の側壁に形成された前記挿通孔を通してグリル庫内方側に突出させる状態で設けられ、前記スプリングが、前記グリル庫の側壁における前記固定側スライドレールが装着される箇所の外面側に設けられている点にある。
【００１９】
第３特徴構成によれば、前記可動側スライドレールに取り付けられた前記レールカバーが、前記固定側スライドレールと前記グリル庫の側壁との間に形成された間隔に入り込むように折り曲げ形成され、且つ、その折り曲げ形成された箇所に前記レール側係合部としてのカム溝が一体形成されており、しかも、前記引き込み用係合部としての係合ピンが、前記グリル庫の側壁に形成された前記挿通孔を通してグリル庫内方側に突出させる状態で設けられ、前記スプリングが、前記グリル庫の側壁における前記固定側スライドレールが装着される箇所の外面側に設けられているから、前記可動側スライドレール、前記固定側スライドレール、前記レール側係合部、前記係合ピン、及び、前記スプリングの夫々が、ほぼグリル庫横幅方向に沿って並ぶ状態で設けられることになる。
【００２０】
従って、第３特徴構成によれば、扉やグリル用受皿を備えた可動側スライドレールを引退位置にまでスライドさせてその引退位置に保持させることが可能となるための構成を、上下方向の設置スペースを小さくさせた状態で配置させることができる。
【００２１】
本発明の第４特徴構成は、第１特徴構成に加えて、前記グリル庫の前側面に永久磁石又は強磁性体が備えられ、前記扉における前記永久磁石又は強磁性体が対向する位置に、その永久磁石又は強磁性体と互いに吸引する状態で永久磁石又は強磁性体が設けられている点にある。
【００２２】
第４特徴構成によれば、可動側スライドレールが引退位置にスライドすると、グリル庫の前側面に備えられている永久磁石又は強磁性体が、扉におけるそれらに対向する位置に設けられた永久磁石又は強磁性体との間で互いに吸引する状態となって、扉がグリル庫の前面開口を閉じた状態となり、しかも、そのような閉じ状態を適切に維持することができる。
【００２３】
従って、第４特徴構成によれば、扉やグリル用受皿を備えた可動側スライドレールを引退位置にまでスライドさせた状態で、扉とグリル庫の前面開口との間を適切に閉じ状態にしてそれらの間に隙間ができない状態で適切に調理を行うことが可能となる。
【００２４】
本発明の第５特徴構成は、第１特徴構成に加えて、前記スプリングが、前記グリル庫奥行方向における前記前面開口に近い箇所に設けられている点にある。
【００２５】
第５特徴構成によれば、グリル庫奥行方向における前記前面開口に近い箇所においては、前面開口を通して放熱し易いので、グリル庫の内奥側の箇所に比べて温度が低いものとなる。つまり、グリル庫奥行方向における内奥側の箇所に設置する場合に比べてスプリングの周囲温度がそれだけ低いものになる。
【００２６】
従って、第５特徴構成によれば、スプリングの周囲温度が低いものになって、スプリングにより長期間にわたって良好な引き込み保持作用を発揮させることが可能となる。
【００２７】
本発明の第６特徴構成は、第１特徴構成に加えて、前記グリル庫の側壁における前記固定側スライドレールの上方側箇所にグリル内方側に凹入する形態でバーナ配設部が形成され、このバーナ配設部のグリル庫外方側箇所に、前記グリル庫の側壁に形成された開口を通してグリル庫内に向けて火炎を形成する状態で長手方向がグリル奥行方向に沿って延びる調理加熱用のバーナが備えられ、前記スプリングが、前記バーナの燃焼に伴って前記バーナが取り入れる燃焼用空気が流動する箇所に設けられている点にある。
【００２８】
第６特徴構成によれば、調理加熱用のバーナは前記バーナ配設部のグリル庫外方側箇所に設けられ、このバーナが燃焼すると、グリル庫の側壁に形成された開口を通してグリル庫内に向けて火炎が形成される。そして、前記バーナの燃焼に伴って前記バーナが取り入れる燃焼用空気が流動する箇所に前記スプリングが設けられているから、前記バーナの燃焼に伴う燃焼用空気の流動によってスプリングが冷却されることになる。
【００２９】
従って、第６特徴構成によれば、スプリングを適切な場所に配置することで、調理加熱用のバーナの構成を有効利用して、その燃焼作動に伴ってスプリングに対する冷却作用を発揮することにより、スプリングにより長期間にわたって良好な引き込み保持作用を発揮させることが可能となる。
【発明を実施するための最良の形態】
【００３０】
以下、本発明に係るグリル装置の実施形態をグリル付きガスコンロに適用した場合について図面に基づいて説明する。
【００３１】
図１に示すように、このガスコンロは、３つのコンロバーナ１ａ，１ｂ，１ｃ、および、加熱手段としてのグリルバーナ２を備えたグリル装置としてのグリル部３からなるビルトインタイプのガスコンロにて構成されている。３つのコンロバーナ１ａ，１ｂ，１ｃは標準バーナ１ａと、小バーナ１ｂと、高火力バーナ１ｃとによって構成されている。そして、グリル部３の燃焼排ガスを排気するためのグリル排気口４が形成され、トッププレート５にてガスコンロ上面が覆われており、このトッププレート５の上部に鍋等を受け止め支持するための五徳６が載置支持されている。また、ガスコンロ前側面には各コンロバーナ１ａ，１ｂ，１ｃ及びグリルバーナ２の点火及び消火や火力調節を指令する手動操作部Ｓが設けられている。又、このガスコンロは、マイクロコンピュータを備えて各種の制御を実行するように構成された運転状態を制御する制御手段としての制御部Ｈが、手動操作部Ｓにて指令された運転状態に基づいて、コンロバーナ１ａ，１ｂ，１ｃおよびグリルバーナ２を制御するように構成されている。又、ガスコンロ前側面には押し操作式の電源スイッチ９も設けられている。
【００３２】
図２に示すように、３つのコンロバーナ１ａ，１ｂ，１ｃの夫々には、点火手段としての点火器７及び着火状態を検出する熱電対８が設けられており、グリルバーナ２は上面バーナ２ａと左右一対の下面バーナ２ｂ，２ｃとを備えた両面バーナにて構成されて、上面バーナ２ａ及び左右一対の下面バーナ２ｂ，２ｃの夫々にも点火器７及び熱電対８が夫々備えられている。
【００３３】
前記３つのコンロバーナ１ａ，１ｂ，１ｃおよびグリルバーナ２へのガス供給構成について説明すると、元ガス供給路１１には元電磁弁１２が設けられ、元ガス供給路１１から、標準バーナ用分岐路１３ａ、小バーナ用分岐路１３ｂ、高火力バーナ用分岐路１３ｃ、グリルバーナ用分岐路１３ｄの４系統に分岐しており、標準バーナ用分岐路１３ａ、小バーナ用分岐路１３ｂ、高火力バーナ用分岐路１３ｃ、及び、グリルバーナ用分岐路１３ｄの夫々には、ステッピングモータの駆動によって燃料ガスの流量を調整して加熱量を調整するための流量制御弁１８が備えられている。
【００３４】
そして、グリルバーナ２へのグリルバーナ用分岐路１３ｄは、さらに、上面バーナ用の分岐路と下面バーナ用分岐路とに分岐し、それらの分岐路には夫々、オリフィスｏｆ付きの流路１５と開閉式電磁弁１６を備えたバイパス路１７とが設けられている。つまり、前記開閉式電磁弁１６を開状態にすることで上面バーナ２ａ又は左右一対の下面バーナ２ｂ，２ｃが強火力に調整され、前記開閉式電磁弁１６を閉状態にすることで上面バーナ２ａ又は左右一対の下面バーナ２ｂ，２ｃが弱火力に調整されることになる。尚、図示はしないが、グリルバーナ用分岐路１３ｄには、元電磁弁１２と流量制御弁１８の間にガスガバナを設けて、ガス量の安定を図っている。
【００３５】
前記グリル部３は、図３及び図４に示すように、前面部が開口した箱状に形成されたグリル庫２４内に、魚などの被調理物を載置させる載置部としての焼き網１９、グリル用受皿２０を備えて構成されている。そして、グリルバーナ２は、グリル庫２４の焼き網１９よりも上方側の天井に備えられる上バーナ２ａと、上バーナ２ａと形態が異なりグリル庫２４の下部であってかつ焼き網１９よりも下方側に配置される左右一対の下バーナ２ｂ，２ｃとから構成されている。
【００３６】
前記上バーナ２ａは、グリル庫２４の天井に沿う平面状の輻射式バーナにて構成され、左右一対の下バーナ２ｂ，２ｃの夫々は、略円筒形状で且つ長手方向がグリル庫２４のグリル奥行方向に沿うようにグリル庫２４の横側箇所に配置されたブンゼン式バーナにて構成されている。説明を加えると、グリル庫２４の左右の側壁２４Ａに受け網１９よりも下方側に位置する箇所に、グリル奥行方向全幅にわたりグリル庫横幅方向内方側に入り込み凹入する状態でバーナ配設部２１が形成され、このバーナ配設部２１にグリル庫２４横側外方側から入り込み装着される状態で左右一対の下バーナ２ｂ，２ｃが配設されている。左右一対の下バーナ２ｂ，２ｃは、バーナ配設部２１に形成された火炎形成用の開口２１ａを通して受け網１９上の被加熱物を加熱するように火炎を形成するように構成されている。
【００３７】
前記グリル庫２４の後方側には、グリルバーナ２の燃焼排ガスを機外に排気させる排気路２２が上方側に延びる状態で配設され、その排気路２２にてグリルバーナ２の燃焼排ガスをグリル排気口４に導くように構成されている。ちなみに、グリルバーナ２の二次空気は、グリル庫２４の側面部や底面部及び前面部に設けられた空気孔２３から取り入れるように構成されている。
【００３８】
そして、焼き網１９の下方には、魚などの被調理物からの油などを受け止めるグリル用受皿２０が設けられ、グリル用受皿２０は、焼き網１９を載置した状態で、後述するようなグリル庫２４の側壁に設けられたスライドレール式の案内機構Ａ（図４参照）によりグリル庫２４の奥行方向に沿ってスライド移動自在に設けられている。また、グリル用受皿２０の前面部には、グリル用受皿２０をグリル庫２４内に収納したときにグリル庫２４の前面部を閉塞する扉２５が設けられ、使用者は、扉２５を開閉させることにより、グリル用受皿２０と焼き網１９を一体的に、グリル庫２４に対してスライド操作することができるようになっている。
【００３９】
次に、扉２５、グリル用受皿２０及び焼き網１９をスライド操作するためのスライドレール式の案内機構Ａについて説明する。
このスライドレール式の案内機構Ａは、グリル庫２４の前面開口に対する扉２５及びグリル用受皿２０を備え状態で前記グリル庫２４の内部に配置される可動側スライドレール２８が、前記グリル庫２４の内部に固定状態で支持された固定側スライドレール２７によりグリル庫奥行き方向に移動自在に支持されて、前記扉２５にて前記前面開口２４Ｂを閉じる引退位置と前記扉２５及び前記グリル用受皿２０を前記グリル庫２４の前方側に突出させる突出位置とに位置変更自在に構成されている。
【００４０】
具体的に説明すると、図５に示すように、左右の各固定側スライドレール２７と左右の各可動側スライドレール２８との間には、夫々、中間スライドレール２９が備えられ、この中間スライドレール２９には、ボール３０をリテーナ３１にて回転自在に保持した転がり軸受３２が設けられ、固定側スライドレール２７との間及び可動側スライドレール２８との間の夫々において、転がり軸受３２を介して滑らかに相対的にスライド移動自在に設けられている。従って、固定側スライドレール２７、可動側スライドレール２８、中間スライドレール２９、転がり軸受３２等により、スライドレール式の案内機構Ａが構成されている。因みに、このスライドレール式の案内機構Ａにおいては、前記各レール２７，２８，２９は耐熱温度の高い高耐熱性のステンレス材を用いるようにしており、転がり軸受３２に使用される潤滑油としては高耐熱性のグリスを用いるようにしている。
【００４１】
図４及び図８に示すように、グリル庫２４の左右の側壁２４Ａにおける下部に、そのグリル庫２４内側に間隔保持部材としてのスペーサ部材２６を介在させて側壁２４Ａとの間に所定の間隔を有する状態でグリル庫奥行方向に延びる状態で左右一対の固定側スライドレール２７が取り付けられ、そして、この左右一対の固定側スライドレール２７夫々のグリル庫横幅方向内方側に並ぶ状態で左右一対の可動側スライドレール２８がスライド移動自在に支持される状態で備えられている。
【００４２】
このようなスライドレール式の案内機構Ａでは、可動側スライドレール２８は、固定側スライドレール２７と中間スライドレール２９との間でのスライド移動量と、中間スライドレール２９と可動側スライドレール２８との間でのスライド移動量とを合わせた長いストロークにわたって、転がり軸受３２により滑らかにスライド操作可能な構成となっている。又、左右一対の可動側スライドレール２８の前部側端部同士が扉支持部３３によって連結されており、この扉支持部３３に前記扉２５が支持され、詳述はしないが、扉２５は清掃等のメンテナンス作業が行い易いように扉支持部３３に対して取り外し可能なように支持される構成となっている。
【００４３】
図８に示すように、左右一対の可動側スライドレール２８には、各可動側スライドレール２８のグリル庫横幅方向内方側及び上方側を覆う板状のレールカバー３４，３５が一体的に取り付けられている。そして、左右のレールカバー３４，３５の上部面のグリル庫奥行方向の中間部には、上方に向けて突出するように係合片３６が折り曲げ形成され、左右両側の係合片３６にはその上方に載置されるグリル用受皿２０に形成された位置決め用係合孔２０ａが嵌り合い係合して、左右のレールカバー３４，３５によりグリル用受皿２０をグリル庫横幅方向並びに奥行方向に位置がずれない状態で載置支持することができるようになっている。又、このように左右のレールカバー３４，３５にて載置支持されるグリル用受皿２０の上部に前記受け網１９を載置する構成となっており、使用者が例えば扉支持部３３を持ってスライド移動させると、扉２５、グリル用受皿２０、及び、受け網１９を備える状態で左右一対の可動スライドレール２８が一体的に外方側に突出する状態と、扉２５がグリル前面開口２４Ｂを閉じる引退位置とにわたりスライド操作させることができるように構成されている。
【００４４】
又、左右一対のレールカバー３４，３５のうちの左側に位置するレールカバー３４は、図６及び図９に示すように、左側の固定側スライドレール２７とグリル庫２４の側壁２４Ａとの間に形成された隙間Ｌに入り込むように折り曲げ形成され、且つ、その折り曲げ形成された箇所にレール側係合部としてのカム溝３７が一体形成されている。
【００４５】
そして、このグリル部３には、可動スライドレール２８を突出位置から引退位置側にスライドさせたときに、途中位置までスライドさせると、その後はバネの付勢力によって自動的に引退位置にまで引き込み且つその引退位置で保持させるための引き込み保持装置Ｂが設けられている。
【００４６】
すなわち、図８に示すように、グリル庫２４の左側側壁２４Ａにおけるグリル庫奥行方向における前面開口２４Ｂに近い箇所であって、しかも、図４に示すように、左側の下バーナ２ｂの下方側に位置して左側の下バーナ２ｂの燃焼に伴う燃焼用空気の流動する箇所に、前記スプリング３８を備えた引き込み保持装置Ｂが設けられている。グリル庫２４の左側側壁２４Ａにはグリル庫奥行方向に長い矩形長孔状の挿通孔４１が形成されており（図９参照）、この挿通孔４１が形成される箇所の側壁２４Ａの横側外方側の側面に、前記引き込み保持装置Ｂが備えられている。
【００４７】
図７に示すように、この引き込み保持装置Ｂは、略矩形箱状のケーシング４２の内部に、前記引き込み用係合部としての係合ピン３９と、この係合ピン３９及びケーシング４２に位置固定状態で保持されている固定ピン４３とにわたって架設されて係合ピン３９をグリル奥行方向に沿って前部側から奥側に向けて引っ張り力にて移動付勢するスプリング３８とを備えて構成されている。
【００４８】
そして、前記ケーシング４２におけるグリル庫２４側の前記挿通孔４１に対向する側面には、前記係合ピン３９がグリル庫奥行方向に沿って設定距離だけ移動することを許容する長孔状のガイド孔４４が形成され、このガイド孔４４を通して係合ピン３９がグリル庫２４内の空間に向けて突出する状態で設けられている。又、前記ガイド孔４４における前面開口側の箇所には、係合ピン３９がグリル庫奥行方向と交差する方向に移動して前記スプリング３８の付勢力に抗してその位置で位置保持することが可能な係止保持部４５が形成され、前記ガイド孔４４における引退位置側の箇所には、係合ピン３９がグリル庫奥行方向と交差する方向に移動することを許容する退避保持部４６が形成されている。
【００４９】
又、引き込み保持装置Ｂには、長手方向の一方向に片持ち状に外方突出する係合ピン３９に対してカム溝３７が係合しても拗れが生じることなく円滑な移動を行えるように、ケーシング４２の横幅方向両側の内面に摺接しながら案内する左右一対の円板状の摺動案内板４７が備えられ、前記ガイド孔４４のグリル庫奥行方向の引退位置側に対応する位置には、前記係合ピン３９が前記退避保持部４６に位置しているときに、その係合ピン３９をグリル庫奥行方向と交差する方向であってガイド孔４４に対応する位置に向かう方向に移動付勢する板バネ４８が備えられ、この板バネ４８は円板状に形成される一対の摺動案内板４７の外周面に接当作用する状態で設けられている。
【００５０】
図６、図８及び図９に示すように、左側の可動側スライドレール２８のグリル庫横幅方向内方側及び上方側を覆うように左側の可動側スライドレール２８に取り付けられた板状のレールカバー３４が、引退位置にある状態でグリル庫奥行方向の前面開口２４Ｂに近い箇所に位置し、且つ、断面が略コ字状になる状態で固定側スライドレール２７とグリル庫２４の側壁との間に形成された間隔に入り込むように折り曲げ形成された折り曲げ形成部３４Ａに前記カム溝３７が一体形成されている。
【００５１】
このカム溝３７には、可動側スライドレール２８が外方側に引き出された位置から前記引退位置側に向けて移動操作させるに伴って、前記係止保持部４５に係止保持されている状態の係合ピン３９に係合作用して係合ピン３９を前記ガイド孔４４に向けて案内移動させる引き込み用の案内カム面５０が形成され、この引き込み用の案内カム面５０の奥側に連なるように、前記ガイド孔４４に向けて案内移動されてスプリング３８の付勢力にて引退位置側に移動付勢される係合ピン３９が前記付勢力に抗して係合する係合作用部５１が形成されている。
【００５２】
又、前記カム溝３７には、前記退避保持部４６に保持されている状態の係合ピン３９に係合作用して、その係合ピン３９を板バネ４８の付勢方向と反対方向つまりガイド孔４４に対応する位置から離れる方向に案内移動させる再係合用の案内カム面５２が前記係合作用部５１に連なる状態で形成されている。
【００５３】
従って、この実施形態においては、グリル庫奥行き方向に移動自在でかつスプリング３８により奥側に向けて弾性付勢された引き込み用係合部としての係合ピン３９が、前記可動側スライドレール２８に備えさせたレール側係合部としてのカム溝３７に対して、前記可動側スライドレール２８が前記突出位置から前記引退位置に向かって移動して、その引退位置よりも設定距離手前の作用位置に移動するに伴って係合し、かつ、前記可動側スライドレール２８が前記引退位置から前記突出位置に向かって移動して、前記作用位置に移動するに伴って離脱する状態で、且つ、前記レール側係合部（カム溝３７）と離脱したときにはスプリング３８の付勢力に抗して前記作用位置に位置しかつ前記レール側係合部（カム溝３７）と係合したときにはスプリング３８の付勢力にて奥側に向けて移動するように支持された状態で設けられ、グリル庫２４の外部側に配設した前記引き込み側係合部（係合ピン３９）と前記レール側係合部（カム溝３７）とが、前記グリル庫２４の側壁２４Ａに形成した挿通孔４１を通して係合するように構成され、前記スプリング３８が、前記グリル庫２４の外部に配設されている。
【００５４】
次に、前記引き込み保持装置Ｂによる可動側スライドレール２８の引き込み保持作用について以下に説明する。
図１０〜図１３は、可動側スライドレール２８が外方に引き出されている状態から引退位置に向けてスライド操作するときの引き込み保持装置Ｂの動作を示している。
可動側スライドレール２８が外方に引き出されている状態では、図１２及び図１３（ａ）に示すように、前記係合ピン３９は前記係止保持部４５にて位置保持される状態で待機している）。そして、図１３（ｂ）に示すように、可動側スライドレール２８が引退位置側にスライドして作用位置にまで移動すると、左側に位置するレールカバー３４に形成されたカム溝３７における引き込み用の案内カム面５０が係合ピン３９に係合作用して係合ピン３９を係止保持部４５からガイド孔４４に移動させる。そのとき、係合ピン３９はスプリング３８の付勢力によってガイド孔４４に沿って移動するように移動付勢されるが、そのとき係合ピン３９はカム溝３７の前記凹入部に入り込み前記係合作用部５１に係合することになる。その結果、図１０及び図１３（ｃ），（ｄ）に示すように、スプリング３８の付勢力によって左側のレールカバー３４すなわち左側の可動側スライドレール２８が引退位置側に向けて移動付勢される。
【００５５】
左右の可動側スライドレール２８は上述したように転がり軸受３２により軽い操作力でスライド操作可能であるから、係合ピン３９が係合作用部５１に係合している状態では、左右の可動側スライドレール２８は使用者による手動操作が無くても、スプリング３８の付勢力によって引退位置にまで引き込まれることになる。しかも、引退位置に引き込まれたのちにもスプリング３８による付勢力は係合ピン３９に作用しているので、可動側スライドレール２８はその引退位置で保持されることになる。従って、係合ピン３９は、係合作用部５１すなわちカム溝３７に対して、可動側スライドレール２８を引退位置側に向けて引き込むように一体移動する形態で係合することになる。
【００５６】
前記引退位置にある可動側スライドレール２８を外方に引き出すと、図１３の手順と逆の手順で係合ピン３９が係合案内されることになる。つまり、可動側スライドレール２８を外方にスライドさせ、係合ピン３９は係合作用部５１にて係合してガイド孔４４に沿って案内されて係止保持部４５に対応する位置にまで移動すると、引き込み用の案内カム面５０にて案内されながら係止保持部４５に入り込むので、係合ピン３９とカム溝３７との係合が解除されて可動側スライドレール２８はそのまま外方に引き出し可能となる。
【００５７】
このように通常の使用状態では、図１３に示す手順とその逆の手順とを交互に繰り返すのであるが、可動側スライドレール２８が外方に引き出されているときに、何らかの要因により係止保持部４５に保持されていた係合ピン３９がガイド孔４４を通して移動して退避保持部４６に位置している場合には、図１４に示すような手順で係合ピン３９が係合案内されることになる。
【００５８】
つまり、可動側スライドレール２８を引退位置に向けてスライドさせると、板バネ４８によりガイド孔４４に対応する位置に付勢されている係合ピン３９に対して再係合用の案内カム面５２が係合作用して、係合ピン３９を板バネ４８の付勢力に抗して板バネ４８の付勢方向と反対方向に移動させて、係合ピン３９が再係合用の案内カム面５２を乗り越えると、板バネ４８の付勢力により係合作用部５１に入り込み係合するので引退位置で位置保持されることになる（図１４（ａ），（ｂ）参照）。その後は、通常の使用状態と同じような使用形態（図１４（ｃ），（ｄ）参照）となる。
【００５９】
又、前記グリル庫２４の前側面に強磁性体が備えられ、前記扉２５における強磁性体が対向する位置にその強磁性体と互いに吸引する状態で永久磁石５３が設けられている。すなわち、図３に示すように、前記扉２５の左右両側の上下方向の下寄りの箇所に、永久磁石５３が埋め込み装着されており、グリル庫２４の前側面における前記永久磁石５３に対向する箇所は永久磁石５３に対して吸引作用する強磁性体５４にて形成され、可動側スライドレール２８を引退位置に向けてスライドさせると、扉２５に備えられた永久磁石５３がグリル庫２４の前側面における強磁性体５４に対して吸引作用して、前面開口２４を閉じた状態で位置保持される構成となっている。
【００６０】
〔別実施形態〕
以下、別実施形態を列記する。
【００６１】
（１）上記実施形態では、前記レールカバーが、前記固定側スライドレールと前記グリル庫の側壁との間に形成された間隔に入り込むように折り曲げ形成され、且つ、その折り曲げ形成された箇所に前記レール側係合部が一体形成される構成としたが、前記レール側係合部は前記間隔に入り込むように折り曲げ形成するものに限らず、レールカバーから固定側スライドレールに対して上下方向に離間する方向に延設する構成等、各種の形態で実施することができる。
【００６２】
（２）上記実施形態では、前記可動側スライドレールを覆うレールカバーに前記レール側係合部が一体形成される構成を例示したが、このような構成に限らず、レールカバーとは別体の部材により前記レール側係合部を形成するものでもよい。
【００６３】
（３）上記実施形態では、前記グリル庫の前側面に強磁性体が備えられ、前記扉に永久磁石が設けられる構成としたが、前記グリル庫の前側面に永久磁石が備えられ、前記扉に強磁性体が設けられる構成としてもよい。又、このようにグリルの前側面及び扉に永久磁石や強磁性体を備えない構成としてもよい。
【００６４】
（４）上記実施形態では、前記可動側スライドレール側に前記レール側係合部としてのカム溝が備えられ、前記グリル庫側に前記引き込み用係合部としての係合ピンが備えられる構成としたが、このような構成に代えて、前記可動側スライドレール側に前記レール側係合部としての係合ピンが備えられ、前記グリル庫側に前記引き込み用係合部としてのカム溝を備える構成としてもよい。
【図面の簡単な説明】
【００６５】
【図１】コンロの全体斜視図
【図２】概略構成を示すブロック図
【図３】グリル部の縦断側面図
【図４】グリル部の縦断正面図
【図５】スライド支持機構を示す図
【図６】レールカバーを示す図
【図７】引き込み保持装置を示す図
【図８】スライドレール式の案内機構を示す図
【図９】引き込み保持装置の分解斜視図
【図１０】引き込み保持状態を示す要部の斜視図
【図１１】引き込み保持状態を示す要部の斜視図
【図１２】引き込み保持状態を示す要部の斜視図
【図１３】引き込み保持の作用説明図
【図１４】引き込み保持の作用説明図
【符号の説明】
【００６６】
２０      グリル用受皿
２４      グリル庫
２４Ｂ    前面開口
２５      扉
２６      間隔保持部材
２７      固定側スライドレール
２８      可動スライドレール
３４      レールカバー
３７      レール側係合部
３８      スプリング
３９      引き込み用係合部
４１      挿通孔
５３      永久磁石
５４      強磁性体
【図１】
0005065830.tif 000002
【図２】
0005065830.tif 000003
【図３】
0005065830.tif 000004
【図４】
0005065830.tif 000005
【図５】
0005065830.tif 000006
【図６】
0005065830.tif 000007
【図７】
0005065830.tif 000008
【図８】
0005065830.tif 000009
【図９】
0005065830.tif 000010
【図１０】
0005065830.tif 000011
【図１１】
0005065830.tif 000012
【図１２】
0005065830.tif 000013
【図１３】
0005065830.tif 000014
【図１４】
0005065830.tif 000015